(57)【要約】      （修正有）【課題】開封した液体紙容器であっても、正立状態にせずに中身の液体をこぼすことなく載置することができる液体紙容器用トレイを提供する。【解決手段】本考案は、前方側板、後方側板、及び一対の側方側板で形成される四角筒状の胴部、及び胴部に連結するとともに前方に注出口を備える屋根部を有する液体紙容器を載置するための液体紙容器用トレイ１であって、後方側板を支持する載置壁２を有し、載置壁２は一端部２ａから他端部２ｂに向けて上向きに傾斜することを特徴とする。【選択図】図１
0003206430.tif 000002
【実用新案登録請求の範囲】
【請求項１】
前方側板、後方側板、及び一対の側方側板で形成される四角筒状の胴部、及び当該胴部に連結するとともに前方に注出口を備える屋根部を有する液体紙容器を載置するための液体紙容器用トレイであって、
前記後方側板を支持する載置壁を有し、当該載置壁は一端部から他端部に向けて上向きに傾斜する液体紙容器用トレイ。
【請求項２】
前記載置壁は、前記一端部から上方へ向けて延在する下部縁壁を有する請求項１に記載の液体紙容器用トレイ。
【請求項３】
前記載置壁は、前記側方側板に対向して設けられる一対の側端部縁壁を有する請求項２に記載の液体紙容器用トレイ。
【請求項４】
前記側端部縁壁は、根元部から先端部に至る当該側端部縁壁の高さが、前記後方側板から前記前方側板に至る前記側方側板の幅に対し、当該幅の半分よりも短い請求項３に記載の液体紙容器用トレイ。
【請求項５】
前記下部縁壁と前記側端部縁壁との間に隙間を有する請求項４に記載の液体紙容器用トレイ。
【考案の詳細な説明】
【技術分野】
【０００１】
本考案は、牛乳やジュース等の液体を収容した液体紙容器を載置するための液体紙容器用トレイに関するものであり、特に開封後の液体紙容器を載置する場合に好適な液体紙容器用トレイに関する。
【背景技術】
【０００２】
従来、牛乳やジュース等の飲料をはじめ各種の液体調味料を収容する液体紙容器が知られている。例えば特許文献１には、４枚の側板で構成される四角筒状の胴部と、この胴部の上方に位置する切り妻屋根状の屋根部とを備えるゲーブルトップ型の液体紙容器が示されている。また特許文献２には、全体的に四角柱状をなすとともに頂部に折り畳まれた耳部を有するブリックタイプ（フラットトップ型ともいう）の液体紙容器が示されている。
【０００３】
ゲーブルトップ型の液体紙容器は、特許文献１の図５に示されているように、対向する２枚の屋根板１１の一側方部分を押し広げてくちばし状の開口３２を形成し、この開口３２を注出口とするものである。
【０００４】
またブリックタイプの液体紙容器は、折り畳まれた耳部を引き起こしてその先端をカットしたり、特許文献２に記載されているように、耳部に予め設けた穴を塞いだプルタブを剥がしたりして注出口を形成するものである。
【先行技術文献】
【特許文献】
【０００５】
【特許文献１】特開２００２−２３４５２４号公報
【特許文献２】特開平１０−１１９９６２号公報
【特許文献３】特開平１１−１８０４４０号公報
【特許文献４】実用新案登録第３０６７９５４号公報
【考案の概要】
【考案が解決しようとする課題】
【０００６】
ところで、ゲーブルトップ型の液体紙容器では屋根板１１を元のように折り畳むことによって、またブリックタイプの液体紙容器では耳部を元のように倒すことによって注出口を閉じることができるものの、液密状態で封止できる訳ではない。このため、収容した液体が残っている状態ではこれらの容器を横倒し状態にすることはできず、水平面に容器の底面を載置させた正立状態にしなければならない。一方、特許文献３に示されているように、スクリューキャップ付きの注出口を備える液体紙容器も知られているが、キャップが十分に締まっていない状態で横倒しにすると、この容器でも中身の液体が漏れるおそれがある。
【０００７】
このように液体紙容器は種々のタイプがあるものの、何れの容器でも一旦開封すると基本的には正立状態で保管する必要がある。このため、これらの容器を冷蔵庫等で保管するには、容器を正立状態にして収容することができる高さを持つ、限られたスペースだけしか利用することができなかった。なお特許文献４には、液体紙容器にセットして収納棚等に引っ掛けることで効率よく冷蔵庫内に収納できるとする冷蔵庫用紙パックホルダーが示されているものの、このホルダーを用いる場合でも容器は正立状態にする必要があるため、十分な改善には至っていなかった。
【０００８】
本考案は、このような問題点を解決することを課題とするものであり、正立状態にすることなく、中身の液体をこぼすことなく載置することができる、新規の液体紙容器用トレイを提供することを目的とする。
【課題を解決するための手段】
【０００９】
本考案は、前方側板、後方側板、及び一対の側方側板で形成される四角筒状の胴部、及び当該胴部に連結するとともに前方に注出口を備える屋根部を有する液体紙容器を載置するための液体紙容器用トレイであって、
前記後方側板を支持する載置壁を有し、当該載置壁は一端部から他端部に向けて上向きに傾斜する液体紙容器用トレイである。
【００１０】
また前記載置壁は、前記一端部から上方へ向けて延在する下部縁壁を有することが好ましい。
【００１１】
また前記載置壁は、前記側方側板に対向して設けられる一対の側端部縁壁を有することが好ましい。
【００１２】
また前記側端部縁壁は、根元部から先端部に至る当該側端部縁壁の高さが、前記後方側板から前記前方側板に至る前記側方側板の幅に対し、当該幅の半分よりも短いことが好ましい。
【００１３】
また前記下部縁壁と前記側端部縁壁との間に隙間を有することが好ましい。
【考案の効果】
【００１４】
本考案の液体紙容器用トレイによれば、注出口が上方に位置するようにして液体紙容器を斜めに載置することができるため、例えば水平方向に延在する棚板が複数設けられている高さの低い空間であっても、開封した液体紙容器を保管することが可能である。
【００１５】
また載置壁の一端部に、上方へ向けて延在する下部縁壁を備える場合は、他端部から一端部に向かう液体紙容器の滑り落ちが確実に防止できるため、より好ましい。
【００１６】
また載置壁が、側方側板に対向して設けられる一対の側端部縁壁を備える場合は、液体紙容器が側方にずれることがないため、より好ましい。
【００１７】
側端部縁壁の根元部から先端部に至る側端部縁壁の高さが、後方側板から前方側板に至る側方側板の幅に対して、この幅の半分よりも短い場合は、液体紙容器用トレイに載置した液体紙容器を取り出すにあたって一対の側方側板を把持した際、側方側板における後方側板寄りに指をかけることができる（載置壁により近い部分に指をかけることができる）ため、液体紙容器を安定的に持つことができる。
【００１８】
また下部縁壁と前記側端部縁壁とがつながっていると、これらが連結する隅部の清掃が行いにくいものの、これらの間に隙間を有する場合は隅部がないため、清掃が行いやすくなる。
【図面の簡単な説明】
【００１９】
【図１】本考案に従う液体紙容器用トレイの一実施形態を示す斜視図である。
【図２】図１に示すＡ−Ａを含む垂直面での断面図である。
【図３】図１に示すＢ−Ｂを含む垂直面での断面図である。
【図４】図１に示す液体紙容器用トレイに液体紙容器を載置した状態を示す斜視図である。
【考案を実施するための形態】
【００２０】
以下、図面を参照して、本考案に従う液体紙容器用トレイ（以下、「トレイ」と称する場合もある）の一実施形態について説明する。なお、本明細書、実用新案登録請求の範囲、及び要約書における「上」、「下」の関係は、図１に示すように、水平面ＨＰ上にトレイを載置した状態での位置関係をいう。
【００２１】
図１〜図３において、符号１は本考案に従うトレイの一実施形態を示す。本実施形態のトレイ１は、１０００ｍｌの液体紙容器を載置するのに適した形状をなすものである。
【００２２】
トレイ１は、矩形状をなす載置壁２を備えている。載置壁２は、短手辺の端部であって水平面ＨＰに接する一端部２ａから、その反対側に位置する他端部２ｂに向けて、上向きに傾斜している。他端部２ｂは、水平面ＨＰから垂直方向に延在する他端部支持壁３に連結している。本実施形態の他端部支持壁３は、全体的に矩形状をなすものであるが、水平面ＨＰと接する部分に切欠き３ａを備えている。切欠き３ａは、トレイ１の軽量化及びトレイ１を水平面ＨＰに載置した際の指掛かりとして機能するものであるが、省略してもよい。
【００２３】
また載置壁２における一対の長手辺の端部である側端部２ｃには、水平面ＨＰから垂直方向に延在する側端部支持壁４が連結している。本実施形態の側端部支持壁４は、全体的に三角形状となるものであるが、水平面ＨＰと接する部分に切欠き４ａを備えている。なお、切欠き３ａと同様に切欠き４ａを省略してもよい。
【００２４】
また載置壁２の一端部２ａには、上方へ向けて延在する下部縁壁５が連結している。ここで「上方へ向けて延在する」とは、水平面ＨＰに対して直角になる垂直面に対して平行な向きに限定するものではなく、垂直面に対して多少傾く向きも含むものである（垂直方向ベクトルが水平方向ベクトルよりも大きければよい）。本実施形態の下部縁壁５は、載置壁２に対して直角をなす向きに延在している。なお下部縁壁５は、載置壁２の短手辺の全長に亘って延在するものでもよいが、本実施形態では、載置壁２の短手辺長さに対してその半分程度の長さで設けられている。
【００２５】
そして、対をなす載置壁２の側端部２ｃには、上方へ向けて延在する側端部縁壁６が連結している。本実施形態の側端部縁壁６は、載置壁２における長手辺の略全長に亘って設けられているが、間欠的に設けてもよい。
【００２６】
ここで、下部縁壁５と側端部縁壁６とはつながっておらず、それらの間には隙間７が設けられている。下部縁壁５と側端部縁壁６とがつながっていると、これらが連結する隅部の清掃が行い難いものの、本実施形態のように隙間７を設けることで掃除が行いやすくなり、衛生的に使用することができる。
【００２７】
このような形態になるトレイ１は、図４に示す如き液体紙容器（以下、「容器」と称する場合もある）を載置して使用される。図４に示す容器１０は、内容量が１０００ｍｌになるものであり、サイズは約７０ｍｍ×７０ｍｍ×１９４ｍｍである。またトレイ１は、側端部支持壁４の長手方向長さ（水平面ＨＰに沿う長さ）が２００ｍｍ程度、他端部支持壁３の高さが６０ｍｍ程度、載置壁２の短手方向長さが８０ｍｍ程度である。
【００２８】
容器１０は、略正方形になる底板１１と、前方側板１２ａ、後方側板１２ｂ、及び一対の側方側板１２ｃで形成される四角筒状の胴部１２と、２枚の側方側板１２ｃにそれぞれ連結する傾斜した屋根板１３ａを有し、全体として切り妻屋根状になる屋根部１３とを有するゲーブルトップ型の液体紙容器である。なお、容器１０は、対向する２枚の屋根板１３ａに対し、前方側板１２ａ側の端部を押し広げてくちばし状の開口を形成し、この開口を注出口１４とするものである。
【００２９】
そして、前方側板１２ａが上方を向くようにして容器１０を傾けるとともに、後方側板１２ｂが載置壁２に載置されるようにして容器１０をトレイ１にセットする。これにより容器１０は、注出口１４が上方を向いた状態でトレイ１に保持されるため、中身の液体がこぼれることがない。また容器１０は、低い姿勢でトレイ１に保持されるため、例えば冷蔵庫内の棚板が複数設けられている高さの低い空間にも収容することができる。
【００３０】
また本実施形態のトレイ１は、下部縁壁５によって底板１１を支持することができるため、容器１０が載置壁２から滑り落ちることがない。また、容器１０をトレイ１に載置した際、側方側板１２ｃの外側には側端部縁壁６があるため、容器１０が側方にずれることもない。
【００３１】
また本実施形態における側端部縁壁６は、図４に示すように側端部縁壁６の高さ（載置壁２に連結する根元部６ａから先端部６ｂに至る長さ）が１０ｍｍ程度であって、側方側板１２ｃの幅（後方側板１２ｂから前方側板１２ａに至る長さ、本実施形態では約７０ｍｍ）の半分よりも短くなっている。このような構成によって、トレイ１に載置した容器１０を取り出す際、一対の側方側板１２ｃを把持すると、載置壁２により近い部分に指を掛けることができるため、容器１０を安定的に持つことができる。
【００３２】
なお、本実施形態のトレイ１は１０００ｍｌのゲーブルトップ型液体紙容器に適したものであるが、一般に流通している５００ｍｌや３４０ｍｌ等の容器は、１０００ｍｌの容器に対して高さが異なるだけであるので、これらの容器をセットすることも可能である。またブリックタイプ等の他の液体紙容器を設置することも可能である。
【００３３】
なお、本考案に従う液体紙容器用トレイは、上述した実施形態に限定されるものではなく、実用新案登録請求の範囲に従う範囲で種々の変更を含むものである。
【符号の説明】
【００３４】
１：トレイ（液体紙容器用トレイ）
２：載置壁
２ａ：一端部
２ｂ：他端部
２ｃ：側端部
３：他端部支持壁
３ａ：切欠き
４：側端部支持壁
４ａ：切欠き
５：下部縁壁
６：側端部縁壁
６ａ：根元部
６ｂ：先端部
７：隙間
１０：容器（液体紙容器）
１１：底板
１２：胴部
１２ａ：前方側板
１２ｂ：後方側板
１２ｃ：側方側板
１３：屋根部
１３ａ：屋根板
１４：注出口
ＨＰ：水平面
【図１】
0003206430.tif 000003
【図２】
0003206430.tif 000004
【図３】
0003206430.tif 000005
【図４】
0003206430.tif 000006